(57)【要約】    【課題】  全系が小型でありながら広画角かつ高ズーム比で全ズーム範囲にわたり高い光学性能を有するズームレンズを得ること。    【解決手段】  物体側から像側へ順に配置された、負の屈折力の第１レンズ群、負の屈折力の第２レンズ群、正の屈折力の第３レンズ群を有し、ズーミングに際し、第１レンズ群は不動であり、第２レンズ群と第３レンズ群が移動し、隣り合うレンズ群の間隔が変化するズームレンズであって、第１レンズ群は２枚以上の負レンズを有し、  広角端における第１レンズ群の最も像側のレンズ面から第２レンズ群の最も物体側のレンズ面までの距離Ｄ１２ｗ、望遠端における第１レンズ群の最も像側のレンズ面から第３レンズ群の最も物体側のレンズ面までの距離Ｄ１３ｔ、広角端から望遠端へのズーミングにおける第３レンズ群の移動量Ｍ３、最も物体側のレンズ面から像面までの距離ＴＬを各々適切に設定する。【選択図】    図１
2018063285.tif 000002
【特許請求の範囲】
【請求項１】
物体側から像側へ順に配置された、負の屈折力の第１レンズ群、負の屈折力の第２レンズ群、正の屈折力の第３レンズ群を有し、
ズーミングに際して、前記第１レンズ群は不動であり、前記第２レンズ群と前記第３レンズ群が移動し、隣り合うレンズ群の間隔が変化するズームレンズであって、前記第１レンズ群は２枚以上の負レンズを有し、
広角端における前記第１レンズ群の最も像側のレンズ面から前記第２レンズ群の最も物体側のレンズ面までの距離をＤ１２ｗ、望遠端における前記第１レンズ群の最も像側のレンズ面から前記第３レンズ群の最も物体側のレンズ面までの距離をＤ１３ｔ、広角端から望遠端へのズーミングにおける前記第３レンズ群の移動量をＭ３、最も物体側のレンズ面から像面までの距離をＴＬとするとき、
Ｄ１３ｔ＜Ｄ１２ｗ
０．１０＜｜Ｍ３｜／ＴＬ＜１．００
なる条件式を満足することを特徴とするズームレンズ。
【請求項２】
前記第１レンズ群の焦点距離をｆ１、前記第２レンズ群の焦点距離をｆ２とするとき、
０．１０＜ｆ１／ｆ２＜１．００
なる条件式を満足することを特徴とする請求項１に記載のズームレンズ。
【請求項３】
前記第１レンズ群の最も物体側のレンズ面から前記第１レンズ群の最も像側のレンズ面までの距離をＴＬ１Ｇ、広角端における全系の焦点距離をｆｗとするとき、
３．００＜ＴＬ１Ｇ／ｆｗ＜６．００
なる条件式を満足することを特徴とする請求項１又は２に記載のズームレンズ。
【請求項４】
前記第１レンズ群の焦点距離をｆ１、広角端における全系の焦点距離をｆｗとするとき、
−５．００＜ｆ１／ｆｗ＜−２．００
なる条件式を満足することを特徴とする請求項１乃至３のいずれか１項に記載のズームレンズ。
【請求項５】
前記第２レンズ群の焦点距離をｆ２、前記第３レンズ群の焦点距離をｆ３とするとき、
−３．２０＜ｆ２／ｆ３＜−１．２０
なる条件式を満足することを特徴とする請求項１乃至４のいずれか１項に記載のズームレンズ。
【請求項６】
前記第３レンズ群の焦点距離をｆ３、望遠端における全系の焦点距離をｆｔとするとき、
０．３０＜ｆ３／ｆｔ＜１．００
なる条件式を満足することを特徴とする請求項１乃至５のいずれか１項に記載のズームレンズ。
【請求項７】
広角端における前記第３レンズ群の横倍率をβ３ｗ、望遠端における前記第３レンズ群の横倍率をβ３ｔとするとき、
１．５＜β３ｔ／β３ｗ＜７．０
なる条件式を満足することを特徴とする請求項１乃至６のいずれか１項に記載のズームレンズ。
【請求項８】
最も物体側のレンズ面から像面までの距離をＴＬ、広角端におけるバックフォーカスをＢＦｗとするとき、
５．０＜ＴＬ／ＢＦｗ＜３５．０
なる条件式を満足することを特徴とする請求項１乃至７のいずれか１項に記載のズームレンズ。
【請求項９】
前記第２レンズ群は１枚のレンズ又は複数のレンズを接合した１つの接合レンズより構成されており、前記第２レンズ群の最も物体側のレンズ面は凹形状であることを特徴とする請求項１乃至８のいずれか１項に記載のズームレンズ。
【請求項１０】
フォーカシングに際して前記第２レンズ群は移動することを特徴とする請求項１乃至９のいずれか１項に記載のズームレンズ。
【請求項１１】
広角端から望遠端へのズーミングに際して前記第２レンズ群は像側に移動した後に物体側に移動し、前記第３レンズ群は物体側へ移動することを特徴とする請求項１乃至１０のいずれか１項に記載のズームレンズ。
【請求項１２】
前記第３レンズ群の像側に負の屈折力の第４レンズ群をさらに有し、ズーミングに際して前記第４レンズ群は移動することを特徴とする請求項１乃至１１のいずれか１項に記載のズームレンズ。
【請求項１３】
前記第３レンズ群の像側に配置された正の屈折力の第４レンズ群と、該第４レンズ群の像側に隣接して配置された負の屈折力の第５レンズ群をさらに有し、ズーミングに際して前記第４レンズ群と前記第５レンズ群は移動することを特徴とする請求項１乃至１１のいずれか１項に記載のズームレンズ。
【請求項１４】
請求項１乃至１３のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズに関し、特に、監視カメラ、デジタルカメラ、ビデオカメラ、放送用カメラ等の撮像装置に用いる撮像光学系として好適なものである。
【背景技術】
【０００２】
近年、撮像素子を用いた撮像装置に用いる撮像光学系には、撮像素子の高画素化（高精細化）に対応できる高い光学性能を有し、しかも種々の倍率で撮像でき、かつ広画角のズームレンズであることが要望されている。例えば高画質化の観点において、ＳＤ（Standard Definition）画質から、メガピクセル、フルＨＤ（High Definition）、４Ｋ画質への移行が加速している。このため、撮像装置に用いられる撮像光学系としてはこれら高精細な撮像素子に対応可能な、高い光学性能を有するズームレンズであることが要望されている。
【０００３】
また、監視カメラ用の撮像光学系に対しては、１台のカメラで広域な範囲の撮像（広画角化）を容易としつつ、高ズーム比で、かつ監視の自由度が高いことが要望されている。更に、屋内および屋外での設置性と目立ちにくさの観点から全系が小型化であること等が要望されている。これらの要望を満足するズームレンズとして、最も物体側に負の屈折力のレンズ群を配置した（最も物体側に位置する）ネガティブリード型のズームレンズが知られている（特許文献１、２）。
【０００４】
特許文献１には、物体側から像側へ順に、負、正、負、正の屈折力の第１レンズ群乃至第４レンズ群より構成され、ズーミングに際して各レンズ群が移動し、隣り合うレンズ群の間隔が変化するズームレンズが開示されている。特許文献２には物体側から像側へ順に負、負、正、正の屈折力の第１レンズ群乃至第４レンズ群より構成され、ズーミングに際して第２レンズ群と第３レンズ群が移動し、隣り合うレンズ群の間隔が変化するズームレンズが開示されている。
【先行技術文献】
【特許文献】
【０００５】
【特許文献１】特開２０１３−２５０３３８号公報
【特許文献２】特開２００９−２５８０１号公報
【発明の概要】
【発明が解決しようとする課題】
【０００６】
ネガティブリード型のズームレンズにおいて、全系の小型化、広画角化、高ズーム比化を図りつつ、高い光学性能を得るには、各レンズ群の屈折力や各レンズ群のレンズ構成等を適切に設定することが重要になってくる。
【０００７】
広角端から望遠端へのズーミングに際して第１レンズ群が移動するネガティブリード型のズームレンズにおいて、更なる広画角化を図ろうとすると第１レンズ群が大型化してくる。また高ズーム比化を図ろうとすると、第１レンズ群の移動量が増大し、全系が大型化してくる。またズーミングに際して第１レンズ群を不動とするネガティブリード型のズームレンズにおいては、変倍用のレンズ群の選択及びズーミングに際しての変倍用のレンズ群の移動量を適切に設定する必要がある。そうしないと所定のズーム比（高ズーム比）を確保しつつ、全系の小型化を図るのが困難になってくる。
【０００８】
本発明は、全系が小型でありながら広画角かつ高ズーム比で全ズーム範囲にわたり高い光学性能を有するズームレンズの提供を目的とする。
【課題を解決するための手段】
【０００９】
本発明のズームレンズは、物体側から像側へ順に配置された、負の屈折力の第１レンズ群、負の屈折力の第２レンズ群、正の屈折力の第３レンズ群を有し、
ズーミングに際して、前記第１レンズ群は不動であり、前記第２レンズ群と前記第３レンズ群が移動し、隣り合うレンズ群の間隔が変化するズームレンズであって、前記第１レンズ群は２枚以上の負レンズを有し、
広角端における前記第１レンズ群の最も像側のレンズ面から前記第２レンズ群の最も物体側のレンズ面までの距離をＤ１２ｗ、望遠端における前記第１レンズ群の最も像側のレンズ面から前記第３レンズ群の最も物体側のレンズ面までの距離をＤ１３ｔ、広角端から望遠端へのズーミングにおける前記第３レンズ群の移動量をＭ３、最も物体側のレンズ面から像面までの距離をＴＬとするとき、
Ｄ１３ｔ＜Ｄ１２ｗ
０．１０＜｜Ｍ３｜／ＴＬ＜１．００
なる条件式を満足することを特徴としている。
【発明の効果】
【００１０】
本発明によれば、全系が小型でありながら広画角かつ高ズーム比で全ズーム範囲にわたり高い光学性能を有するズームレンズが得られる。
【図面の簡単な説明】
【００１１】
【図１】実施例１の広角端におけるレンズ断面と移動軌跡の図
【図２】（Ａ）、（Ｂ）、（Ｃ）実施例１の広角端、ズーム中間位置、望遠端における諸収差図
【図３】実施例２の広角端におけるレンズ断面と移動軌跡の図
【図４】（Ａ）、（Ｂ）、（Ｃ）実施例２の広角端、ズーム中間位置、望遠端における諸収差図
【図５】実施例３の広角端におけるレンズ断面と移動軌跡の図
【図６】（Ａ）、（Ｂ）、（Ｃ）実施例３の広角端、ズーム中間位置、望遠端における諸収差図
【図７】実施例４の広角端におけるレンズ断面と移動軌跡の図
【図８】（Ａ）、（Ｂ）、（Ｃ）実施例４の広角端、ズーム中間位置、望遠端における諸収差図
【図９】実施例５の広角端におけるレンズ断面と移動軌跡の図
【図１０】（Ａ）、（Ｂ）、（Ｃ）実施例５の広角端、ズーム中間位置、望遠端における諸収差図
【図１１】実施例６の広角端におけるレンズ断面と移動軌跡の図
【図１２】（Ａ）、（Ｂ）、（Ｃ）実施例６の広角端、ズーム中間位置、望遠端における諸収差図
【図１３】広角端と望遠端におけるレンズ断面に諸記号を示した図
【図１４】（Ａ）、（Ｂ）本発明の監視カメラでの実施例と使用例の図
【発明を実施するための形態】
【００１２】
以下、本発明のズームレンズ及びそれを有する撮像装置について説明する。本発明のズームレンズは、物体側から像側へ順に配置された、負の屈折力の第１レンズ群、負の屈折力の第２レンズ群、正の屈折力の第３レンズ群を有する。ズーミングに際して、第１レンズ群は不動であり、第２レンズ群と第３レンズ群が移動し、隣り合うレンズ群の間隔が変化する。
【００１３】
図１は本発明の実施例１のズームレンズの広角端（短焦点距離端）におけるレンズ断面図である。図２（Ａ）、（Ｂ）、（Ｃ）は本発明の実施例１のズームレンズの広角端、中間のズーム位置、望遠端（長焦点距離端）における収差図である。実施例１はズーム比４．８６、Ｆナンバー１．８６〜４．２８程度のズームレンズである。
【００１４】
図３は本発明の実施例２のズームレンズの広角端におけるレンズ断面図である。図４（Ａ）、（Ｂ）、（Ｃ）は本発明の実施例２のズームレンズの広角端、中間のズーム位置、望遠端における収差図である。実施例２はズーム比３．９０、Ｆナンバー１．８４〜３．８０程度のズームレンズである。
【００１５】
図５は本発明の実施例３のズームレンズの広角端におけるレンズ断面図である。図６（Ａ）、（Ｂ）、（Ｃ）は本発明の実施例３のズームレンズの広角端、中間のズーム位置、望遠端における収差図である。実施例３はズーム比２．８９、Ｆナンバー１．６７〜３．００程度のズームレンズである。
【００１６】
図７は本発明の実施例４のズームレンズの広角端におけるレンズ断面図である。図８（Ａ）、（Ｂ）、（Ｃ）は本発明の実施例４のズームレンズの広角端、中間のズーム位置、望遠端における収差図である。実施例４はズーム比３．９０、Ｆナンバー１．８６〜４．６３程度のズームレンズである。
【００１７】
図９は本発明の実施例５のズームレンズの広角端におけるレンズ断面図である。図１０（Ａ）、（Ｂ）、（Ｃ）は本発明の実施例５のズームレンズの広角端、中間のズーム位置、望遠端における収差図である。実施例５はズーム比３．９４、Ｆナンバー１．８６〜４．２８程度のズームレンズである。
【００１８】
図１１は本発明の実施例６のズームレンズの広角端におけるレンズ断面図である。図１２（Ａ）、（Ｂ）、（Ｃ）は本発明の実施例６のズームレンズの広角端、中間のズーム位置、望遠端における収差図である。実施例６はズーム比５．９０、Ｆナンバー１．８２〜５．０５程度のズームレンズである。
【００１９】
図１３（Ａ）、（Ｂ）は本発明のズームレンズの広角端と望遠端における各レンズ群の位置関係の説明図である。図１４（Ａ）、（Ｂ）は本発明のズームレンズを備える監視カメラ等の撮像装置の概略図である。
【００２０】
各実施例のズームレンズは撮像装置に用いられる撮像光学系である。レンズ断面図において、左方が物体側（前方）で、右方が像側（後方）である。尚、各実施例のズームレンズをプロジェクター等の光学機器の投射光学系に用いても良く、このときは、左方がスクリーン、右方が被投影画像となる。レンズ断面図において、ＳＰは開放Ｆナンバー（Ｆｎｏ）光束を決定（制限）する開口絞りの作用をするＦナンバー決定部材（以下「開口絞り」ともいう。）である。
【００２１】
Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００２２】
実線の矢印は、広角端から望遠端へのズーミングに際しての各レンズ群の移動軌跡を示している。第２レンズ群Ｌ２において、実線の矢印２ａは無限遠にフォーカス（合焦）しているときの広角端から望遠端へのズーミングに際しての移動軌跡を示す。また破線の矢印２ｂは近距離にフォーカスしているときの広角端から望遠端へのズーミングに際しての移動軌跡を示す。矢印Ｆは、無限遠から近距離へのフォーカスに際しての移動方向を示している。
【００２３】
第２レンズ群Ｌ２は変倍に伴う像面変動を補正するコンペンセータレンズ群に相当する。広角端と望遠端は、変倍用レンズ群が機構上光軸上移動可能な範囲の両端に位置したときのズーム位置をいう。
【００２４】
実施例１、２、３、５のズームレンズは、物体側から像側へ順に配置された、負の屈折力の第１レンズ群Ｌ１、負の屈折力の第２レンズ群Ｌ２、正の屈折力の第３レンズ群Ｌ３、負の屈折力の第４レンズ群Ｌ４より構成されている。広角端から望遠端へのズーミングに際して各レンズ群が矢印の如く移動する。実施例４のズームレンズは、物体側から像側へ順に配置された、負の屈折力の第１レンズ群Ｌ１、負の屈折力の第２レンズ群Ｌ２、正の屈折力の第３レンズ群Ｌ３より構成されている。広角端から望遠端へのズーミングに際して各レンズ群が矢印の如く移動する。
【００２５】
実施例６のズームレンズは、物体側から像側へ順に配置された、負の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５より構成されている。広角端から望遠端へのズーミングに際して各レンズ群が矢印の如く移動する。
【００２６】
開口絞りＳＰは、第３レンズ群Ｌ３の物体側に設置しており、ズーミングにおいて第３レンズ群Ｌ３と一体で移動させているが、独立に移動させる構成としても良い。これによればフレア光線をカットする自由度が増すので好ましい。収差図のうちの球面収差図と倍率色収差図において、実線のｄはｄ線（５８７．５６ｎｍ）、破線のｇはｇ線（４３５．８４ｎｍ）を示す。非点収差図において点線のΔＭはｄ線におけるメリディオナル像面、実線のΔＳはｄ線におけるサジタル像面を表している。歪曲収差においてはｄ線を表示している。ＦｎｏはＦナンバー、ωは半画角（度）である。
【００２７】
本発明のズームレンズは、全系が小型でありながら広画角かつ高ズーム比であり、全ズーム範囲にわたり高い光学性能を有している。本発明のズームレンズのズームタイプは、負の屈折力のレンズ群が先行するネガティブリード型の構成である。
【００２８】
従来のネガティブリード型のズームレンズでは、物体側から像側へ順に、負の屈折力の第１レンズ群、正の屈折力の第２レンズ群を配置している。そしてズーミングに際して第１レンズ群が移動している構成が多い。このレンズ構成では、広画角化を図った場合に第１レンズ群の有効径が大きくなるため、第１レンズ群を移動させる際の駆動負荷が大きくなる。これにより、駆動モーターが大型化して、レンズ鏡筒の小型化が困難になる。更には、迅速なズーミングやフォーカスが困難となる。
【００２９】
これに対して本発明は、ズーミングに際し不動の負の屈折力の第１レンズ群Ｌ１の像側に次のレンズ群を配置している。ズーミングによる像面変動を補正するためのレンズ群（コンペンセータレンズ群）およびフォーカスレンズ群としての役割を担う負の屈折力の第２レンズ群Ｌ２を配置している。
【００３０】
この場合、広画角化を図るとき有効径が大きくなりやすい第１レンズ群Ｌ１をズーミングに際して不動とすることで、移動レンズ群である第２レンズ群Ｌ２を小型化している。またこれによって、ズーミングやフォーカスによる駆動負荷を低減し、モーターの小型化及びレンズ鏡筒の小型化を容易にしている。また、第１レンズ群Ｌ１を２枚以上の負レンズを有す構成としている。これにより、強い負の屈折力を保ちながら各レンズ面の曲率を緩めて、球面収差の発生を抑制し高い光学性能を得るとともに、広画角化を容易にしている。
【００３１】
広角端における第１レンズ群Ｌ１の最も像側のレンズ面から第２レンズ群Ｌ２の最も物体側のレンズ面までの距離をＤ１２ｗとする。望遠端における第１レンズ群Ｌ１の最も像側のレンズ面から第３レンズ群Ｌ３の最も物体側のレンズ面までの距離をＤ１３ｔとする。広角端から望遠端へのズーミングにおける第３レンズ群Ｌ３の移動量をＭ３とする。最も物体側のレンズ面から像面までの距離（レンズ全長）をＴＬとする。このとき、
Ｄ１３ｔ＜Ｄ１２ｗ    ・・・（１）
０．１０＜｜Ｍ３｜／ＴＬ＜１．００    ・・・（２）
なる条件式を満足する。
【００３２】
ここでレンズ群の移動量の符号は広角端から望遠端へのズーミングによって移動した結果、その位置が広角端に比べて望遠端において物体側に位置するときを負、像側に位置するときを正とする。
【００３３】
次に、図１３を用いて本発明のズームレンズにおける広角端と望遠端での各レンズ群の位置関係とズーミングに際しての移動量に関する諸数値について説明する。図１３においてＤ１２ｗは、広角端における第１レンズ群Ｌ１の最も像側のレンズ面から第２レンズ群Ｌ２の最も物体側のレンズ面までの光軸上の距離を表す。Ｄ１３ｔは望遠端における第１レンズ群Ｌ１の最も像側のレンズ面から第３レンズ群Ｌ３の最も物体側のレンズ面までの距離を表す。また、Ｍ３は広角端から望遠端までにおける第３レンズ群Ｌ３の移動量、ＴＬはレンズ全長（第１レンズ面から像面までの空気換算距離）を表す。
【００３４】
広角端から望遠端へのズーミングにおいて、変倍レンズ群である第３レンズ群Ｌ３は物体側へ単調に移動し、第２レンズ群Ｌ２は像側へ凸状の軌跡で移動する。このとき、広角端における第２レンズ群Ｌ２の最も物体側のレンズ面の位置よりも、第３レンズ群Ｌ３の最も物体側の面の位置が物体側になるように、第３レンズ群Ｌ３を移動させている。このように、コンペンセータレンズ群である第２レンズ群Ｌ２の移動軌跡に重複するような形で、主変倍レンズ群である第３レンズ群Ｌ３を物体側に大きく移動させることで、全系の小型化を図りつつ高いズーム比を得ている。
【００３５】
次に前述の各条件式の技術的意味について説明する。条件式（１）は、広角端における第１レンズ群Ｌ１から第２レンズ群Ｌ２までの光軸上の距離と、望遠端における第１レンズ群Ｌ１から第３レンズ群Ｌ３までの光軸上の距離の関係を規定する。
【００３６】
広角端から望遠端へのズーミングに際して、変倍レンズ群である第３レンズ群Ｌ３は物体側へ単調に移動し、第２レンズ群Ｌ２は像側へ凸状となるような軌跡で移動する。このとき、広角端における第２レンズ群Ｌ２の最も物体側のレンズ面の位置よりも、第３レンズ群Ｌ３の最も物体側のレンズ面の位置が物体側になるように、第３レンズ群Ｌ３を移動させている。このように、コンペンセータレンズ群である第２レンズ群Ｌ２の移動軌跡に重複するような形で、主変倍レンズ群である第３レンズ群Ｌ３を物体側に大きく移動させている。これにより、全系の小型化を図りつつ高いズーム比を得ている。
【００３７】
条件式（２）は、レンズ全長に対する広角端から望遠端へのズーミングにおける第３レンズ群Ｌ３の移動量Ｍ３の比を規定する。第３レンズ群Ｌ３は主変倍レンズ群であり、レンズ全系として小型化かつ高ズーム比化を実現するために、レンズ全長に対する移動量を適切に設定している。
【００３８】
条件式（２）の上限を超えて、レンズ全長に対する第３レンズ群Ｌ３の移動量が大きくなると、フォーカスレンズ群である第２レンズ群Ｌ２の移動軌跡が制限されてしまい、変倍に伴う像面変動の補正を行うことが困難となる。条件式（２）の下限を超えて、レンズ全長に対する第３レンズ群Ｌ３の移動量が小さくなると、所望のズーム比を得るのが困難となり、高ズーム比化が困難となる。
【００３９】
以上のように本発明によれば、撮像半画角が６０度以上、ズーム比が２．５で、フルＨＤや４Ｋの画素数の撮像素子にも対応できるズームレンズが得られる。
【００４０】
各実施例において好ましくは次の条件式のうち１つ以上を満足するのが良い。第１レンズ群Ｌ１の焦点距離をｆ１、第２レンズ群Ｌ２の焦点距離をｆ２とする。第１レンズ群Ｌ１の最も物体側のレンズ面から第１レンズ群Ｌ１の最も像側のレンズ面までの距離（レンズ群長）をＴＬ１Ｇとする。広角端における全系の焦点距離をｆｗとする。第３レンズ群Ｌ３の焦点距離をｆ３とする。望遠端における全系の焦点距離をｆｔとする。
【００４１】
広角端における第３レンズ群Ｌ３の横倍率をβ３ｗ、望遠端における第３レンズ群Ｌ３の横倍率をβ３ｔとする。最も物体側のレンズ面から像面までの距離（レンズ全長）をＴＬとする。広角端におけるバックフォーカスをＢＦｗとする。
【００４２】
このとき次の条件式のうち１つ以上を満足するのが良い。
０．１０＜ｆ１／ｆ２＜１．００      ・・・（３）
３．００＜ＴＬ１Ｇ／ｆｗ＜６．００  ・・・（４）
−５．００＜ｆ１／ｆｗ＜−２．００  ・・・（５）
−３．２０＜ｆ２／ｆ３＜−１．２０  ・・・（６）
０．３０＜ｆ３／ｆｔ＜１．００      ・・・（７）
１．５＜β３ｔ／β３ｗ＜７．０      ・・・（８）
５．０＜ＴＬ／ＢＦｗ＜３５．０      ・・・（９）
【００４３】
次に前述の各条件式の技術的意味について説明する。条件式（３）は、広画角化のために比較的強い負の屈折力を有する第１レンズ群Ｌ１の焦点距離に対する変倍に伴う像面変動の補正及びフォーカスのために移動する第２レンズ群Ｌ２の焦点距離の関係を規定している。条件式（３）の上限を超えて、第１レンズ群Ｌ１の負の焦点距離が長くなると（負の焦点距離の絶対値が大きくなると）、広画角化の効果が十分に得られないとともに、レンズ有効径が大きくなり、全系の小型化が困難になる。
【００４４】
また、条件式（３）の上限を超えて、第２レンズ群Ｌ２の負の焦点距離が短くなると（負の焦点距離の絶対値が小さくなると）、像面湾曲が増大してくる。条件式（３）の下限を超えて、第１レンズ群Ｌ１の焦点距離が短くなると、望遠端において球面収差が増加してくる。また、条件式（３）の下限を超えて、第２レンズ群Ｌ２の負の焦点距離が長くなると、第２レンズ群Ｌ２の広角端から望遠端へのズーミングに際しての移動量が増大し、全系の小型化が困難になる。
【００４５】
条件式（４）は第１レンズ群Ｌ１のレンズ群長を規定している。条件式（４）は広画角化を図りつつ、収差補正を良好に行うためのものである。条件式（４）の上限を超えて、第１レンズ群Ｌ１のレンズ群長が長くなると、全系の小型化が困難になる。条件式（４）の下限を超えて、第１レンズ群Ｌ１のレンズ群長が短くなると、第１レンズ群Ｌ１の負の屈折力を所定量確保するために負の焦点距離を短くする必要が生じ、望遠端において球面収差が増加してくる。
【００４６】
条件式（５）は、第１レンズ群Ｌ１の焦点距離と広角端における全系の焦点距離ｆｗとの比を規定している。条件式（５）の上限値を超えて第１レンズ群Ｌ１の負の焦点距離の絶対値が小さくなると、望遠端において球面収差が増加してくる。また条件式（５）の下限値を超えて、第１レンズ群Ｌ１の負の焦点距離ｆ１の絶対値が大きくなると、広画角化が困難となり、広角端において所望の画角を得るのが困難となる。
【００４７】
条件式（６）は、主変倍レンズ群である第３レンズ群Ｌ３の焦点距離と、フォーカスレンズ群として負の屈折力が必要とされる第２レンズ群Ｌ２の焦点距離の関係を設定している。条件式（６）の上限を超えて、第２レンズ群Ｌ２の負の焦点距離が短くなると、像面湾曲が増大してくる。また、条件式（４）の上限を超えて変倍を担う第３レンズ群Ｌ３の焦点距離が長くなり過ぎると、第３レンズ群Ｌ３の広角端から望遠端へのズーミングに際しての移動量が増大し、全系の小型化が困難になる。
【００４８】
条件式（６）の下限を超えて、第２レンズ群Ｌ２の負の焦点距離が長くなると、第２レンズ群Ｌ２の広角端から望遠端へのズーミングに際しての移動量が増大し、全系の小型化が困難になる。また、条件式（６）の下限を超えて第３レンズ群Ｌ３の焦点距離が短くなると、ズーム全域において像面湾曲や色収差が増大し、これらの諸収差の補正が困難になる。
【００４９】
条件式（７）は、変倍を担う第３レンズ群Ｌ３の焦点距離と、望遠端における全系の焦点距離の関係を適切に設定することにより、高ズーム比化及び全系の小型化を図りつつ、良好な光学性能を得るためのものである。条件式（７）の上限を超えて、変倍を担う第３レンズ群Ｌ３の焦点距離が長くなり過ぎると、第３レンズ群Ｌ３の広角端から望遠端へのズーミングに際しての移動量が増大し、全系の小型化が困難になる。条件式（７）の下限を超えて第３レンズ群Ｌ３の焦点距離が短くなると、ズーム全域において像面湾曲や色収差が増大し、これらの諸収差の補正が困難になる。
【００５０】
条件式（８）は、主変倍レンズ群である第３レンズ群Ｌ３の広角端における横倍率と望遠端における横倍率の比、すなわち変倍比を規定している。条件式（８）の上限を超えると、第３レンズ群Ｌ３の変倍比を大きくとることとなるが、第３レンズ群Ｌ３の屈折力が過剰に強くなるため、ズーム全域において像面湾曲や色収差が増大し、これらの諸収差の補正が困難になる。条件式（８）の下限を超えると、所望のズーム比を得るのが困難となり、全系として高ズーム比化が困難となる。
【００５１】
条件式（９）は、レンズ全長と広角端におけるバックフォーカスの比を規定している。条件式（９）の上限を超えて、バックフォーカスが短くなりすぎると、最終レンズ面と像面との間にローパスフィルター等のフィルターを配置するスペースが少なくなってくるので良くない。条件式（９）の下限を超えて、バックフォーカスが長くなりすぎると、変倍における各レンズ群の移動スペースを十分確保することが難しくなるとともに、全系の小型化が困難になる。
【００５２】
更に好ましくは条件式（２）乃至（９）の数値範囲を次の如く設定するのが良い。
０．１５＜｜Ｍ３｜／ＴＬ＜０．７０  ・・・（２ａ）
０．２５＜ｆ１／ｆ２＜０．９５      ・・・（３ａ）
３．４０＜ＴＬ１Ｇ／ｆｗ＜５．５０  ・・・（４ａ）
−４．６０＜ｆ１／ｆｗ＜−２．５０  ・・・（５ａ）
−３．１０＜ｆ２／ｆ３＜−１．５０  ・・・（６ａ）
０．４０＜ｆ３／ｆｔ＜０．９５      ・・・（７ａ）
１．５＜β３ｔ／β３ｗ＜５．０      ・・・（８ａ）
７．０＜ＴＬ／ＢＦｗ＜３０．０      ・・・（９ａ）
【００５３】
更に好ましくは条件式（２ａ）乃至（９ａ）の数値範囲は以下の範囲であるのが望ましい。
０．２０＜｜Ｍ３｜／ＴＬ＜０．４０  ・・・（２ｂ）
０．４０＜ｆ１／ｆ２＜０．９０      ・・・（３ｂ）
３．８０＜ＴＬ１Ｇ／ｆｗ＜５．００  ・・・（４ｂ）
−４．２０＜ｆ１／ｆｗ＜−２．９０  ・・・（５ｂ）
−２．９０＜ｆ２／ｆ３＜−１．８０  ・・・（６ｂ）
０．５０＜ｆ３／ｆｔ＜０．９０      ・・・（７ｂ）
２．０＜β３ｔ／β３ｗ＜４．０      ・・・（８ｂ）
９．０＜ＴＬ／ＢＦｗ＜２６．０      ・・・（９ｂ）
【００５４】
各実施例において、第２レンズ群Ｌ２は１枚のレンズ又は複数のレンズを接合した１つの接合レンズより構成されており、第２レンズ群Ｌ２の最も物体側のレンズ面は凹形状である。フォーカシングに際して第２レンズ群Ｌ２は移動する。広角端から望遠端へのズーミングに際して第２レンズ群Ｌ２は像側に移動した後に物体側に移動し、第３レンズ群Ｌ３は物体側へ移動する。
【００５５】
実施例１、２、３、５では第３レンズ群Ｌ３の像側に負の屈折力の第４レンズ群Ｌ４をさらに有し、ズーミングに際して第４レンズ群Ｌ４は移動する。実施例６では第３レンズ群Ｌ３の像側に配置された、正の屈折力の第４レンズ群Ｌ４と、第４レンズ群Ｌ４の像側に隣接して配置された負の屈折力の第５レンズ群Ｌ５をさらに有し、ズーミングに際して第４レンズ群Ｌ４と第５レンズ群Ｌ５は移動する。
【００５６】
以下、各実施例の各レンズ群のレンズ構成について説明する。以下、各レンズ群のレンズ構成は特に断りがない限り、物体側から像側へ順に配置されているものとする。
【００５７】
（実施例１）
第１レンズ群Ｌ１は、物体側が凸面のメニスカス形状の負レンズＧ１１、物体側が凸面でメニスカス形状の負レンズＧ１２、両凹形状の負レンズＧ１３、物体側が凸面でメニスカス形状の正レンズＧ１４により成っている。負レンズＧ１１をメニスカス形状とすることによりレンズ有効径がなるべく小さくなるようにしている。また、広画角化のために負の屈折力の第１レンズ群Ｌ１の負の屈折力を強めたときの諸収差の発生を少なくするため第１レンズ群Ｌ１を複数の負レンズを有するようにしている。
【００５８】
第２レンズ群Ｌ２は、像側が凸面でメニスカス形状の正レンズＧ２１、像側が凸面でメニスカス形状の負レンズＧ２２により成っている。正レンズＧ２１と負レンズＧ２２は貼り合わせた接合レンズより構成しており、双方のレンズの材料のアッベ数の差を大きくとることにより色収差を良好に補正している。
【００５９】
第３レンズ群Ｌ３は、両凸形状の正レンズＧ３１、両凸形状の正レンズＧ３２、両凹形状の負レンズＧ３３、両凸形状の正レンズＧ３４により成っている。正レンズＧ３２と負レンズＧ３３は貼り合わせた接合レンズより構成しており、双方のレンズの材料のアッベ数の差を大きくとることにより色収差を良好に補正している。また、正レンズＧ３１と正レンズＧ３４の両面は非球面形状である。これはＦナンバー（Ｆｎｏ）を決定する軸上光束が広がる第３レンズ群Ｌ３に非球面を適切に配置し、大口径化したときに発生しやすい球面収差を良好に補正している。
【００６０】
第４レンズ群Ｌ４は、像側が凸面でメニスカス形状の正レンズＧ４１、像側が凸面でメニスカス形状の負レンズＧ４２により成っている。
【００６１】
（実施例２）
実施例２における第１レンズ群Ｌ１乃至第４レンズ群Ｌ４のレンズ構成は実施例１と同じである。ここでレンズ構成が同じとは、各レンズの配列やレンズ形状が同じであることをいう。
【００６２】
（実施例３）
実施例３において第１レンズ群Ｌ１と第３レンズ群Ｌ３のレンズ構成は実施例１と同じである。第２レンズ群Ｌ２は、像側が凸面でメニスカス形状の負レンズＧ２１により成っている。第４レンズ群Ｌ４は、像側が凸面でメニスカス形状の正レンズＧ４１、両凹形状の負レンズＧ４２により成っている。
【００６３】
（実施例４）
実施例４において第２レンズ群Ｌ２のレンズ構成は実施例１と同じである。第１レンズ群Ｌ１は、物体側が凸面でメニスカス形状の負レンズＧ１１、物体側が凸面でメニスカス形状の負レンズＧ１２、物体側が凸面でメニスカス形状の負レンズＧ１３、物体側が凸面でメニスカス形状の正レンズＧ１４により成っている。負レンズＧ１１をメニスカス形状とすることによりレンズ有効径がなるべく小さくなるようにしている。また、広画角化のために負の屈折力の第１レンズ群Ｌ１の負の屈折力を強めたときの諸収差の発生を少なくするため第１レンズ群Ｌ１を複数の負レンズを有するようにしている。
【００６４】
第３レンズ群Ｌ３は、両凸形状の正レンズＧ３１、両凸形状の正レンズＧ３２、両凹形状の負レンズＧ３３、物体側が凸面でメニスカス形状の正レンズＧ３４、物体側が凸面でメニスカス形状の正レンズＧ３５により成っている。正レンズＧ３２と負レンズＧ３３は貼り合わせた接合レンズより構成しており、双方のレンズの材料のアッベ数の差を大きくとることにより色収差を良好に補正している。
【００６５】
また、正レンズＧ３１と正レンズＧ３４の両面は非球面形状である。これはＦナンバーを決定する軸上光束が広がる第３レンズ群Ｌ３に非球面を適切に配置し、大口径化したときに発生しやすい球面収差を良好に補正している。
【００６６】
（実施例５）
実施例５における第１レンズ群Ｌ１と第２レンズ群Ｌ２のレンズ構成は実施例１と同じである。第３レンズ群Ｌ３は、物体側が凸面でメニスカス形状の正レンズＧ３１、両凸形状の正レンズＧ３２、両凹形状の負レンズＧ３３、両凸形状の正レンズＧ３４により成っている。正レンズＧ３２と負レンズＧ３３は貼り合わせた接合レンズより構成しており、双方のレンズの材料のアッベ数の差を大きくとることにより色収差を良好に補正している。
【００６７】
また、正レンズＧ３１と正レンズＧ３４の両面は非球面形状である。これはＦナンバーを決定する軸上光束が広がる第３レンズ群Ｌ３に非球面を適切に配置し、大口径化したときに発生しやすい球面収差を良好に補正している。第４レンズ群Ｌ４は、像側が凸面でメニスカス形状の負レンズＧ４１により成っている。
【００６８】
（実施例６）
実施例６における第１レンズ群Ｌ１と第２レンズ群Ｌ２のレンズ構成は実施例１と同じである。第３レンズ群Ｌ３は、両凸形状の正レンズＧ３１、両凸形状の正レンズＧ３２、両凹形状の負レンズＧ３３、物体側が凸面でメニスカス形状の正レンズＧ３４により成っている。正レンズＧ３２と負レンズＧ３３は貼り合わせた接合レンズより構成しており、双方のレンズ材料のアッベ数の差を大きくとることにより色収差を良好に補正している。
【００６９】
また、正レンズＧ３１と正レンズＧ３４の両面は非球面形状である。これはＦナンバーを決定する軸上光束が広がる第３レンズ群Ｌ３に非球面を適切に配置し、大口径化したときに発生しやすい球面収差を良好に補正している。第４レンズ群Ｌ４は、物体側が凸面でメニスカス形状の正レンズＧ４１により成っている。第５レンズ群Ｌ５は、像側が凸面でメニスカス形状の負レンズＧ５１により成っている。
【００７０】
次に本発明のズームレンズを撮像光学系として用いた撮像装置（監視カメラ）の実施例を、図１４（Ａ）、（Ｂ）を用いて説明する。図１４（Ａ）において、１０は監視カメラである。１１は監視カメラ本体、１６は実施例１乃至６のいずれか１つのズームレンズによって形成された撮像光学系である。１２は監視カメラ本体１１に内蔵され、撮像光学系１６によって形成された被写体像を受光するＣＣＤセンサやＣＭＯＳセンサ等の撮像素子（光電変換素子）である。１３は撮像素子１２によって光電変換された被写体像に対応する情報を記録するメモリ部である。
【００７１】
１４は撮像素子１２によって光電変換された被写体像を転送するためのネットワークケーブルである。また、図１４（Ｂ）は撮像装置１０にドーム状のカバー１５を装着し天井に取り付けて使用したときの例である。
【００７２】
本発明における撮像装置としては監視カメラに限定されることなく、ビデオカメラやデジタルカメラ等においても用いることができる。
【００７３】
以上のように、各実施例によれば、小型でありながら超広画角かつ高ズーム比であるズームレンズおよびそれを有する撮像装置を得ることができる。
【００７４】
なお各実施例においては以下のような構成をとっても良い。
・各実施例に示したレンズの形状、レンズ枚数に限定されず、適宜変更すること。
・一部のレンズおよびレンズ群を光軸に対して垂直方向の成分を持つように移動させ、これにより手ぶれ等の振動に伴う像ブレを補正すること。
・電気的な補正手段により、歪曲収差や色収差などを補正すること。
【００７５】
以上、本発明の好ましい実施形態について説明したが、本発明はこれらの実施形態や光学仕様（画角やＦＮｏ）に限定されず、その要旨の範囲内で種々の変形が可能である。
【００７６】
次に、各実施例に対応する実施例の数値データを示す。各実施例の数値データにおいて面番号ｉは物体側から数えた光学面の順序を示す。ｒｉは第ｉ番目の光学面の曲率半径である。ｄｉは第ｉ番目と第ｉ＋１番目の面間隔である。ｎｄｉとνｄｉはそれぞれｄ線に対する光学部材の材料の屈折率、アッベ数を示す。また最も像側の２つの面はフェースプレート等のガラス材である。＊は非球面を意味する。
【００７７】
バックフォーカス（ＢＦ）は、レンズ最終面から近軸像面までの空気換算距離である。レンズ全長は、レンズ最前面からレンズ最終面までの距離にバックフォーカス（ＢＦ）を加えた値と定義する。またＫを離心率、Ａ４、Ａ６、Ａ８、Ａ１０を非球面係数、光軸からの高さＨの位置での光軸方向の変位を面頂点を基準にしてＸとするとき、非球面形状は、
【００７８】
【数１】
2018063285.tif 000003
【００７９】
で表示される。但しＲは曲率半径である。また、例えば「ｅ−Ｚ」の表示は「１０−Z」を意味する。また各実施例における上述した条件式との対応を表１に示す。ｆは焦点距離（ｄ線）、ＦｎｏはＦナンバー、半画角（ω）に関しては、歪曲量を考慮した撮影可能画角に関する数値である。 
【００８０】
［数値データ１］
単位 mm
面データ
面番号       r        d      nd         νd
1         49.075    1.70   1.69680    55.5           
2         29.005    4.19                             
3         41.644    1.30   1.69680    55.5           
4         16.380   10.08                             
5        -50.092    0.90   1.59522    67.7           
6         44.046    1.80                             
7         32.719    2.57   1.95906    17.5           
8         69.216  (可変)                             
9        -13.005    0.98   1.89286    20.4           
10        -11.074    0.45   1.69680    55.5           
11        -60.576  (可変)                             
12(絞り)    ∞       0.40                             
13*        11.412    3.99   1.58313    59.4           
14*       -57.464    0.74                             
15         14.515    5.00   1.49700    81.5           
16        -13.184    0.45   1.90366    31.3           
17         16.567    1.17                             
18*         9.091    4.15   1.49710    81.6           
19*       -32.945  (可変)                             
20       -116.812    2.64   1.95906    17.5           
21        -27.431    3.47                             
22        -15.752    0.60   1.74950    35.3           
23       -287.447  (可変)                             
24          ∞       2.00   1.54400    60.0                                     
像面        ∞   
【００８１】
非球面データ
第13面
K = 0.00000e+000  A 4=-4.61684e-005  A 6= 3.50702e-007  A 8=-3.35096e-009  A10=-4.83765e-011  
第14面
K = 0.00000e+000  A 4=-2.05089e-005  A 6= 1.13431e-006  A 8=-1.50419e-008  A10= 1.60944e-011  
第18面
K = 0.00000e+000  A 4=-2.33042e-004  A 6= 4.11749e-006  A 8=-3.74200e-008  A10= 5.65495e-010  
第19面
K = 0.00000e+000  A 4= 2.55599e-004  A 6= 4.35425e-006  A 8= 6.13415e-009  A10= 1.02214e-009  
各種データ
ズーム比      4.86 
焦点距離       5.21    11.47    25.33  
Fナンバー      1.86     2.86     4.28   
半画角（度）   46.53    25.61    12.25  
像高           5.50     5.50     5.50  
レンズ全長    82.30    82.30    82.30 
BF             5.25    16.97    30.19 
d 8           17.02    15.52     2.15
d11           11.06     2.56     0.93
d19            2.41     0.69     2.46 
d23            1.48    13.19    26.41 
ズームレンズ群データ
群  始面    焦点距離  
1    1     -20.90  
2    9     -26.14  
3   12      13.66  
4   20     -70.99  
【００８２】
［数値データ２］
単位 mm
面データ
面番号       r        d      nd         νd
1         43.244    1.30   1.69680    55.5           
2         22.587    5.69                             
3         56.518    1.10   1.59522    67.7           
4         14.979    8.11                             
5        -37.756    0.80   1.59522    67.7           
6         84.740    0.81                             
7         34.852    2.90   1.95906    17.5           
8         90.794  (可変)                             
9        -12.086    0.90   1.89286    20.4           
10        -10.503    0.58   1.69680    55.5           
11        -51.261  (可変)                             
12(絞り)    ∞       0.40                             
13*        11.598    3.80   1.58313    59.4           
14*       -56.865    0.75                             
15         14.511    5.00   1.49700    81.5           
16        -12.803    0.45   1.90366    31.3           
17         19.806    1.02                             
18*         9.225    4.24   1.49710    81.6           
19*       -27.772  (可変)                             
20        -99.993    2.80   1.95906    17.5           
21        -26.574    3.16                             
22        -15.375    0.60   1.74950    35.3           
23       -288.945  (可変)                             
24          ∞       2.00   1.54400    60.0                                     
像面        ∞   
【００８３】
非球面データ
第13面
K = 0.00000e+000  A 4=-4.63158e-005  A 6= 4.90655e-007  A 8=-2.56615e-009  A10=-7.48627e-011  
第14面
K = 0.00000e+000  A 4=-2.80673e-005  A 6= 1.33478e-006  A 8=-1.48174e-008  A10=-2.75633e-011  
第18面
K = 0.00000e+000  A 4=-2.52457e-004  A 6= 4.57873e-006  A 8=-3.79259e-008  A10= 5.90443e-010  
第19面
K = 0.00000e+000  A 4= 2.74061e-004  A 6= 4.18580e-006  A 8= 1.07312e-008  A10= 1.05423e-009  
各種データ
ズーム比      3.90 
焦点距離       5.31    10.25    20.71  
Fナンバー      1.84     2.62     3.80  
半画角（度）   46.03    28.21    14.88  
像高           5.50     5.50     5.50  
レンズ全長    74.94    74.94    74.94   
BF             5.25    14.64    24.69    
d 8           13.31    12.04     2.10    
d11            9.37     2.77     0.91    
d19            2.59     1.07     2.82    
d23            1.85    11.24    21.28   
ズームレンズ群データ
群  始面    焦点距離  
1    1     -18.79  
2    9     -24.86  
3   12      12.93  
4   20     -63.12  
【００８４】
［数値データ３］
単位 mm
面データ
面番号       r        d      nd         νd
1         30.155    1.30   1.69680    55.5           
2         12.293    7.52                             
3         69.198    1.10   1.69680    55.5           
4         26.528    4.22                             
5        -26.742    0.80   1.59522    67.7           
6         33.613    1.12                             
7         29.942    3.90   1.95906    17.5           
8        170.469  (可変)                             
9        -10.677    0.50   1.49700    81.5           
10        -53.436  (可変)                             
11(絞り)    ∞       0.40                             
12*        10.759    3.80   1.55332    71.7           
13*       -47.271    0.17                             
14         17.209    5.00   1.43700    95.1           
15        -12.942    0.45   1.91650    31.6           
16         31.092    0.72                             
17*         9.725    4.80   1.55332    71.7           
18*       -21.375  (可変)                             
19       -339.049    1.26   1.94595    18.0           
20        -25.356    2.05                             
21        -16.022    0.60   1.76182    26.5           
22        126.374  (可変)                             
23          ∞       2.00   1.54400    60.0                                     
像面        ∞   
【００８５】
非球面データ
第12面
K = 0.00000e+000  A 4=-8.19120e-005  A 6= 5.73929e-007  A 8=-1.56980e-009  A10=-2.53005e-010  
第13面
K = 0.00000e+000  A 4=-6.12498e-005  A 6= 2.10300e-006  A 8=-2.09520e-008  A10=-1.87732e-010  
第17面
K = 0.00000e+000  A 4=-3.11039e-004  A 6= 4.63120e-006  A 8=-4.78806e-008  A10= 2.26405e-010  
第18面
K = 0.00000e+000  A 4= 2.43140e-004  A 6= 3.08615e-006  A 8= 1.32269e-010  A10= 3.15201e-010  
各種データ
ズーム比      2.89 
焦点距離       4.91     8.08    14.19 
Fナンバー      1.67     2.22     3.00 
半画角（度）   48.24    34.25    21.18  
像高           5.50     5.50     5.50 
レンズ全長    65.22    65.22    65.22 
BF             5.94    13.08    20.74 
d 8            8.47     8.32     2.22    
d10            8.05     2.86     0.96   
d18            3.03     1.23     1.59   
d22            1.20     8.33    15.99 
ズームレンズ群データ
群  始面    焦点距離  
1    1     -14.36  
2    9     -26.95  
3   11      12.00  
4   19     -65.30  
【００８６】
［数値データ４］
単位 mm
面データ
面番号       r        d      nd         νd
1         38.472    1.70   1.69680    55.5           
2         18.387    6.93                             
3         45.363    1.30   1.69680    55.5           
4         17.536    5.48                             
5        165.663    0.90   1.59522    67.7           
6         20.071    4.90                             
7         21.605    1.24   1.95906    17.5           
8         31.757  (可変)                             
9        -12.502    1.00   1.89286    20.4           
10        -10.739    0.45   1.69680    55.5           
11        -41.108  (可変)                             
12(絞り)    ∞       0.40                             
13*         9.378    3.51   1.58313    59.4           
14*       -53.700    0.71                             
15          9.486    3.75   1.49700    81.5           
16        -12.581    0.45   1.90366    31.3           
17         14.105    1.35                             
18*        12.741    3.62   1.49710    81.6           
19*        64.411    4.69                             
20         12.093    3.26   1.85478    24.8           
21         11.946  (可変)                             
22          ∞       2.00   1.54400    60.0                                     
像面        ∞   
【００８７】
非球面データ
第13面
K = 0.00000e+000  A 4= 1.28333e-005  A 6= 3.96145e-007  A 8=-8.52497e-009  A10=-4.16640e-011  
第14面
K = 0.00000e+000  A 4= 9.89357e-005  A 6=-5.06533e-008  A 8=-2.57349e-008  A10= 1.87913e-010  
第18面
K = 0.00000e+000  A 4=-1.95853e-004  A 6=-6.38323e-006  A 8=-3.89524e-007  A10=-7.96355e-009  
第19面
K = 0.00000e+000  A 4= 4.11532e-004  A 6= 5.70748e-006  A 8=-7.64341e-007  A10= 7.54527e-009  
各種データ
ズーム比      3.90 
焦点距離       4.80     9.35    18.72  
Fナンバー      1.86     2.95     4.63 
半画角（度）   48.89    30.47    16.37  
像高           5.50     5.50     5.50   
レンズ全長    71.30    71.30    71.30  
BF             4.41    11.81    22.90 
d 8            9.97    11.29     2.13    
d11           11.27     2.56     0.62  
d21            2.41     9.80    20.90   
ズームレンズ群データ
群  始面    焦点距離  
1    1     -17.47  
2    9     -28.87  
3   12      11.34  
【００８８】
［数値データ５］
単位 mm
面データ
面番号       r        d      nd         νd
1         36.756    1.70   1.69680    55.5           
2         15.125    6.94                             
3         40.147    1.30   1.69680    55.5           
4         14.976    5.15                             
5       -505.394    0.90   1.59522    67.7           
6         25.274    0.99                             
7         20.849    1.44   1.95906    17.5           
8         36.871  (可変)                             
9        -13.931    1.00   1.89286    20.4           
10        -12.807    0.45   1.69680    55.5           
11       -150.001  (可変)                             
12(絞り)    ∞       0.10                             
13*         9.866    2.73   1.58313    59.4           
14*        70.012    0.52                             
15         10.411    2.87   1.49700    81.5           
16       -118.079    0.45   1.90366    31.3           
17         13.626    2.03                             
18*         8.670    3.36   1.49710    81.6           
19*       -62.272  (可変)                             
20         -8.755    0.60   1.85478    24.8           
21        -10.750  (可変)                             
22          ∞       2.00   1.54400    60.0                                     
像面        ∞   
【００８９】
非球面データ
第13面
K = 0.00000e+000  A 4=-4.71946e-005  A 6=-5.94910e-007  A 8= 3.15429e-009  A10=-2.94864e-010  
第14面
K = 0.00000e+000  A 4=-1.40642e-005  A 6= 6.52379e-007  A 8=-4.60192e-008  A10= 3.18797e-010  
第18面
K = 0.00000e+000  A 4=-3.07501e-004  A 6= 5.74877e-007  A 8=-3.64648e-008  A10=-6.56242e-009  
第19面
K = 0.00000e+000  A 4= 3.37333e-004  A 6= 3.52790e-006  A 8=-1.00775e-007  A10=-5.00773e-009  
各種データ
ズーム比      3.94 
焦点距離       4.77     9.09    18.81   
Fナンバー      1.86     2.89     4.28   
半画角（度）   49.04    31.19    16.30 
像高           5.50     5.50     5.50   
レンズ全長    69.30    69.30    69.30 
BF             2.69     2.69     2.69   
d 8           13.40    12.35     1.59  
d11            9.22     2.11     0.63  
d19           11.48    19.64    31.89  
d21            0.68     0.68     0.68 
ズームレンズ群データ
群  始面    焦点距離  
1    1     -15.15  
2    9     -23.04  
3   12      12.11  
4   20     -64.06  
5   22       ∞    
【００９０】
［数値データ６］
単位 mm
面データ
面番号       r        d      nd         νd
1         81.184    1.70   1.69680    55.5           
2         24.232    3.30                             
3         27.212    1.30   1.69680    55.5           
4         15.792    9.55                             
5       -509.580    0.90   1.59522    67.7           
6         25.972    3.97                             
7         19.772    1.53   1.95906    17.5           
8         26.298  (可変)                             
9        -14.945    1.00   1.89286    20.4           
10        -13.068    0.45   1.69680    55.5           
11        -35.965  (可変)                             
12(絞り)    ∞       0.31                             
13*        10.590    4.40   1.58313    59.4           
14*       -63.791    0.64                             
15         13.792    4.02   1.49700    81.5           
16        -15.737    0.45   1.90366    31.3           
17         15.450    1.30                             
18*         9.506    5.36   1.49710    81.6           
19*        60.521  (可変)                             
20         36.387    1.00   1.95906    17.5           
21        497.918  (可変)                             
22        -14.552    0.60   1.74950    35.3           
23        -58.270  (可変)                             
24          ∞       2.00   1.54400    60.0                                     
像面        ∞   
【００９１】
非球面データ
第13面
K = 0.00000e+000  A 4=-3.56184e-005  A 6= 3.77001e-007  A 8=-4.93177e-009  A10=-6.61398e-011  
第14面
K = 0.00000e+000  A 4= 7.28817e-006  A 6= 1.02043e-006  A 8=-2.06961e-008  A10= 7.28757e-011  
第18面
K = 0.00000e+000  A 4=-1.78046e-004  A 6= 2.77005e-007  A 8=-9.53773e-008  A10=-1.70793e-009  
第19面
K = 0.00000e+000  A 4= 2.67227e-004  A 6= 5.88560e-006  A 8=-3.01472e-007  A10= 1.98075e-009  
各種データ
ズーム比      5.90 
焦点距離       4.55    11.60    26.82  
Fナンバー      1.82     3.14     5.05  
画角          50.40    25.37    11.59 
像高           5.50     5.50     5.50   
レンズ全長    84.30    84.30    84.30   
BF             2.62    14.56    32.48   
d 8           15.34    20.43     3.53  
d11           17.64     1.25     1.20   
d19            4.08     3.95     3.77  
d21            2.84     2.32     1.55  
d23            0.61    12.56    30.48  
ズームレンズ群データ
群  始面    焦点距離  
1    1     -18.92  
2    9     -41.58  
3   12      14.48  
4   20      40.89  
5   22     -26.03  
【００９２】
【表１】
2018063285.tif 000004
【符号の説明】
【００９３】
Ｌ１        第１レンズ群
Ｌ２        第２レンズ群
Ｌ３        第３レンズ群
Ｌ４        第４レンズ群
Ｌ５        第５レンズ群
【図１】
2018063285.tif 000005
【図２】
2018063285.tif 000006
【図３】
2018063285.tif 000007
【図４】
2018063285.tif 000008
【図５】
2018063285.tif 000009
【図６】
2018063285.tif 000010
【図７】
2018063285.tif 000011
【図８】
2018063285.tif 000012
【図９】
2018063285.tif 000013
【図１０】
2018063285.tif 000014
【図１１】
2018063285.tif 000015
【図１２】
2018063285.tif 000016
【図１３】
2018063285.tif 000017
【図１４】
2018063285.tif 000018